(57)【要約】【課題】リモートコントロール型浸水式加熱器の提供。【解決手段】リモートコントロール装置、温度センサ、離水センサ、水温表示装置を設け、加熱装置の電熱体にフィン式を採用し、熱伝導速度を高め、加熱性能を一般の石英管より高め、更に一体成型を採用し、市販のガラス管型と異なり破裂の危険性が無いものとし、並びにリモートコントロール装置により水温調整し、人体が水に接触しなくてもよいものとして感電の危険を無くし、操作上、市販の回転つまみ型スイッチより簡単とし、マイクロコンピュータ式温度制御により正確度を高め、温度センサが異常作業を検出できるようにし、水温が高い時に、自動断熱保護し、離水センサに二つの導電接点を設け、水中に浸す時に導通状態を呈するようにし、水面から離れる時に停電状態を呈するようにし、安全性を高めた。【選択図】図１
0003144397.tif 000002
【実用新案登録請求の範囲】
【請求項１】
マイクロコンピュータコントローラ、加熱装置、リモートコントロール装置、温度センサ、水温表示装置を有し、
該マイクロコンピュータコントローラの信号入力端と該リモートコントロール装置、該温度センサが接続され、該マイクロコンピュータコントローラの信号出力端と該加熱装置、該水温表示装置が接続され、
該リモートコントロール装置は信号を無線伝送可能なリモートコントローラと信号を無線受信可能な受信器を有し、該受信器と該マイクロコンピュータコントローラの信号入力端が接続され、該リモートコントローラに昇温ボタン、降温ボタン及びスイッチが設けられ、水温を遠隔調整でき、
該温度センサは水温検出装置を有し、
該水温表示装置は水槽の水温を表示できることを特徴とする、リモートコントロール型浸水式加熱器。
【請求項２】
請求項１記載のリモートコントロール型浸水式加熱器において、該加熱装置にアルミ押し型材を一体成型したフィン式電熱体が採用されたことを特徴とする、リモートコントロール型浸水式加熱器。
【請求項３】
請求項１記載のリモートコントロール型浸水式加熱器において、更に離水センサを有し、該離水センサに二つの導電接点が設けられ、水中に漬けられる時、水を導電媒体として二つの導電接点が導通状態を呈し、水面より離れる時、二つの導電接点が停電状態を呈することを特徴とする、リモートコントロール型浸水式加熱器。
【請求項４】
請求項１記載のリモートコントロール型浸水式加熱器において、更に交流直流変換器を有し、該交流直流変換器は電源線より入力された交流電力を直流電力に変換することを特徴とする、リモートコントロール型浸水式加熱器。
【請求項５】
請求項１記載のリモートコントロール型浸水式加熱器において、該温度センサが更に降温保護装置を有し、異常作業による高温を検出する時、自動断熱保護を行うことを特徴とする、リモートコントロール型浸水式加熱器。
【考案の詳細な説明】
【技術分野】
【０００１】
本考案は鑑賞魚用水槽に応用されるリモートコントロール型浸水式加熱器に関する。
【背景技術】
【０００２】
伝統的な鑑賞魚用水槽用加熱器は、実際の操作応用上、以下のような克服すべき幾つかの問題と欠点を有している。
１．周知の鑑賞魚用水槽用加熱器は、一般の回転つまみ式スイッチを採用し、操作上、比較的面倒で不便であり、且つ人体が水に接触して感電する危険があり、またアナログ式の温度制御は正確度が低い。
２．周知の鑑賞魚用水槽用加熱器は、一般に石英管、ガラス管型電熱体を採用し、電力を消耗する割りにパワー出力が低く、熱伝導速度が緩慢で、加熱性能が低く、且つ容易に熱膨張冷却縮小により破裂する危険があり、また壊れやすく、安全性が低い。
３．周知の鑑賞魚用水槽用加熱器は、温度センサがなく、異常作業時に、温度が高温となる時、自動停電保護機能がなく、危険性が高い。
【考案の開示】
【考案が解決しようとする課題】
【０００３】
本考案は、伝統的な周知の鑑賞魚用水槽用加熱器の有する上述の問題と欠点を解決する、リモートコントロール型浸水式加熱器を提供することにある。
【課題を解決するための手段】
【０００４】
請求項１の考案は、マイクロコンピュータコントローラ、加熱装置、リモートコントロール装置、温度センサ、水温表示装置を有し、
該マイクロコンピュータコントローラの信号入力端と該リモートコントロール装置、該温度センサが接続され、該マイクロコンピュータコントローラの信号出力端と該加熱装置、該水温表示装置が接続され、
該リモートコントロール装置は信号を無線伝送可能なリモートコントローラと信号を無線受信可能な受信器を有し、該受信器と該マイクロコンピュータコントローラの信号入力端が接続され、該リモートコントローラに昇温ボタン、降温ボタン及びスイッチが設けられ、水温を遠隔調整でき、
該温度センサは水温検出装置を有し、
該水温表示装置は水槽の水温を表示できることを特徴とする、リモートコントロール型浸水式加熱器としている。
請求項２の考案は、請求項１記載のリモートコントロール型浸水式加熱器において、該加熱装置にアルミ押し型材を一体成型したフィン式電熱体が採用されたことを特徴とする、リモートコントロール型浸水式加熱器としている。
請求項３の考案は、請求項１記載のリモートコントロール型浸水式加熱器において、更に離水センサを有し、該離水センサに二つの導電接点が設けられ、水中に漬けられる時、水を導電媒体として二つの導電接点が導通状態を呈し、水面より離れる時、二つの導電接点が停電状態を呈することを特徴とする、リモートコントロール型浸水式加熱器としている。
請求項４の考案は、請求項１記載のリモートコントロール型浸水式加熱器において、更に交流直流変換器を有し、該交流直流変換器は電源線より入力された交流電力を直流電力に変換することを特徴とする、リモートコントロール型浸水式加熱器としている。
請求項５の考案は、請求項１記載のリモートコントロール型浸水式加熱器において、該温度センサが更に降温保護装置を有し、異常作業による高温を検出する時、自動断熱保護を行うことを特徴とする、リモートコントロール型浸水式加熱器としている。
【考案の効果】
【０００５】
本考案はリモートコントロール装置を設け、該リモートコントロール装置はリモートコントローラと受信器を有し、リモートコントロール方式で水温を調整するものとし、使用者が水に接触する必要をなくして感電の危険を無くし、操作上、市販の回転つまみ型スイッチより簡単、便利とし、またマイクロコンピュータ式温度制御を採用し、正確度を高めた。
【０００６】
本考案は電熱体にフィン方式を採用し、熱伝導速度を高め、加熱性能を一般の石英管より高くし、また一体成型を採用して製造し、市販のガラス管型と異なり破裂の危険をなくした。
【０００７】
本考案は温度センサを設け、温度センサが異常作業を検出できるようにし、水温が高い時に、自動断熱保護し、離水センサに二つの導電接点を設け、水中に浸す時に導通状態を呈するようにし、水面から離れる時に停電状態を呈するようにし、安全性を高めた。
【考案を実施するための最良の形態】
【０００８】
本考案のリモートコントロール型浸水式加熱器は、図１の本考案のブロック図及び図２の本考案の回路表示図、図３の本考案の構造表示図に示されるように、マイクロコンピュータコントローラ１０、加熱装置２０、リモートコントロール装置３０、温度センサ４０、離水センサ５０、水温表示装置６０、交流直流変換器７０を有する。
【０００９】
そのうち、マイクロコンピュータコントローラ１０は正確に水槽１の水温を制御できる。
【００１０】
加熱装置２０は、図４の本考案の加熱装置のフィン式電熱体の立体図を参照されたいが、アルミ押し型材を採用し、一体成型されたフィン式電熱体２１を有し、熱伝導速度が高く、加熱性能が一般の石英管より高く、市販されているガラス管型のものとは異なり、破裂の危険がない。
【００１１】
リモートコントロール装置３０はリモートコントローラ３１と受信器３２を有し、リモートコントローラ３１に昇温ボタン、降温ボタン及びスイッチがＭｏｔｉｏｎ  ＪＰＥＧ、水温を遠隔調整でき、人体が水に触れなくともよく、感電の危険を無くし、操作上、市販の回転つまみ型スイッチより簡単である。
【００１２】
温度センサ４０は水温検出装置４１と高温保護装置４２を有し、異常作業を検出し、温度が高温である時、自動停電保護を行う。
【００１３】
離水センサ５０には二つの導電接点５１、５２が設けられ、水中に浸す時、水を導電媒体として二つの導電接点５１、５２が導通状態を呈するものとされ、反対に、使用者が水槽１より本装置を取り出す時、二つの導電接点５１、５２が停電状態を呈し、これにより加熱装置２０のフィン式電熱体２１が空焼きにより焼損する状況を防止し、安全保護作用を具備する。
【００１４】
水温表示装置６０は液晶ディスプレイとされて、水槽１の水温を表示できる。
【００１５】
交流直流変換器７０は電源線７１が入力する交流電力を直流電力に変換する。
【００１６】
上述の各構成部品が組み合わされてなる本考案は、一種のリモートコントロール型浸水式加熱器を提供し、その実施操作応用状態は図５に示されるようである。
【００１７】
図５は、本考案のリモートコントロール状態表示図である。使用者は直接リモートコントローラ３１上のスイッチ及び昇温ボタン及び降温ボタンで水槽１の適当な水温を設定し、並びに水温表示装置６０により設定した温度数値を表示する。このとき、加熱装置２０のフィン式電熱体２１は水槽１の水を所定の温度に加熱する。
【図面の簡単な説明】
【００１８】
【図１】本考案のブロック図である。
【図２】本考案の回路表示図である。
【図３】本考案の構造表示図である。
【図４】本考案の加熱装置のフィン式電熱体の立体図である。
【図５】本考案のリモートコントロール状態表示図である。
【符号の説明】
【００１９】
１  水槽
１０  マイクロコンピュータコントローラ
２０  加熱装置                        ２１  電熱体
３０  リモートコントロール装置        ３１  リモートコントローラ
３２  受信器
４０  温度センサ                      ４１  水温検出装置
４２  高温保護装置
５０  離水センサ                      ５１  導電接点
５２  導電接点
６０  水温表示装置
７０  交流直流変換器                  ７１  電源線
【図１】
0003144397.tif 000003
【図２】
0003144397.tif 000004
【図３】
0003144397.tif 000005
【図４】
0003144397.tif 000006
【図５】
0003144397.tif 000007